(57)【要約】　　　（修正有）【課題】端子コネクタとの固定方式及び構造を改善した記憶媒体装置を提供する。【解決手段】ハウジング１１、端子コネクタ１２、回路板１３、ベース１４、からなり、端子コネクタ、回路板、ベースは、順序通りにハウジング内に設置される。端子コネクタに、少なくとも一つの接触端子１２１を設け、端子コネクタと回路板が連接される時、該接触端子が回路板上の電子回路と導通することにより、データ伝達の目的を達成する。ベースは回路板の末端に結合され、且つ、ベースはハウジングと緊密に固定され、ベースの設置により、端子コネクタと回路板が安定してハウジング内に固定される以外に、回路板末端を高くして、回路板中の電子回路とハウジングが接近しすぎることによりショートが発生する状況を回避する。【選択図】　　図２
0003100298.tif 000002
【実用新案登録請求の範囲】
【請求項１】
　記憶媒体装置であって、ハウジングと端子コネクタと回路板とベースとからなり、
　前記端子コネクタ、前記回路板、前記ベースは、順序通りに前記ハウジング内に設置され、前記端子コネクタ中、少なくとも一つの接触端子を備え、且つ、前記ベースは、前記回路板の末端と係合すると共に、前記ハウジングと緊密に固定されることを特徴とする記憶媒体装置。
【請求項２】
　前記ハウジングは、金属材質で、押し抜きにより形成されることを特徴とする請求項１に記載の記憶媒体装置。　
【請求項３】
　前記ハウジングは、金属材質で、凹折により形成されることを特徴とする請求項１に記載の記憶媒体装置。
【請求項４】
　前記端子コネクタ底部縁には、少なくとも一つの定位柱が設けられ、前記回路板の定位孔と係合することを特徴とする請求項１に記載の記憶媒体装置。
【請求項５】
　前記ベース上には、定位ブロックと定位柱を設けると共に、前記回路板の定位槽及び定位孔と係合することを特徴とする請求項１に記載の記憶媒体装置。
【考案の詳細な説明】
【技術分野】
【０００１】
　本考案は、記憶媒体装置に関するものであって、端子コネクタ、回路基板及びベースを連接、更に、単一のハウジングを合わせて、記録媒体装置に整合され、該記録媒体装置が、記憶、着脱が便利で、完全性を向上させる、等の効果をもたらす。
【背景技術】
【０００２】
　フラッシュメモリ等の、一般の記録媒体装置の形成方法は、主に、端子コネクタ（主に、ＵＳＢコネクタ）を用いてハウジングに嵌装し、更に、該端子コネクタと記憶効果を有する回路板とを連接することにより、記憶媒体装置が形成される（例えば、特許文献１）。
　しかし、該記録媒体装置には、以下のような欠点がある。
（１）ＵＳＢ端子コネクタは、記憶記憶媒体の外部に露出するので、端子コネクタの外部は、まず、金属により遮覆して保護し、その金属カバーにより保護された端子コネクタとハウジングとを組み合わせてなるため、体積全体が過大になるだけでなく、組み立ても複雑である以外に、端子コネクタとハウジングの接合部は、好ましい強度が得られず、容易に破壊しやすい。
（２）ＵＳＢ端子コネクタと回路板を接合する時、溶接点だけが接合の支承点となるため、強度が不足し、破壊する恐れがある。
（３）メンテナンスが不便である。
　このように、従来公知の記憶媒体装置は上述のような欠点があり、これを解決する要望があった。
【特許文献１】実用新案登録第３０９２８６６号公報
【考案の開示】
【考案が解決しようとする課題】
【０００３】
　上述の欠点を解決するため、本考案は、記憶媒体装置の構造及び端子コネクタと相関する素子との固定方式及び構造を改善し、端子コネクタとハウジングが接合強度を向上させ、メンテナンスの時間及びコストを減少させ、揺れによりハウジングと接触して発生するショートの問題を回避することを目的とする。
【課題を解決するための手段】
【０００４】
　上述の目的を達成するため、端子コネクタ（ＵＳＢ端子コネクタ）、回路板、ベースを、順序通りにハウジング内に設置する。端子コネクタに、少なくとも一つの接触端子を設け、端子コネクタと回路板が連接される時、該接触端子が回路板上の電子回路と導通することによりデータ伝達の目的を達成し、ベースは回路板の末端に結合され、且つ、ベースはハウジングと緊密に固定され、ベースの設置により、端子コネクタと回路板が安定してハウジング内に固定される以外に、回路板末端を高くして、回路板中の電子回路とハウジングが接近しすぎることによりショートが発生する状況を回避する。
【０００５】
　すなわち、請求項１の考案は、記憶媒体装置であって、ハウジングと端子コネクタと回路板とベースとからなり、前記端子コネクタ、前記回路板、前記ベースは、順序通りに前記ハウジング内に設置され、前記端子コネクタ中、少なくとも一つの接触端子を備え、且つ、前記ベースは、前記回路板の末端と係合すると共に、前記ハウジングと緊密に固定されることを特徴とする記憶媒体装置である。
　請求項２の考案は、前記ハウジングは、金属材質で、押し抜きにより形成されることを特徴とする請求項１に記載の記憶媒体装置である。　
　請求項３の考案は、前記ハウジングは、金属材質で、凹折により形成されることを特徴とする請求項１に記載の記憶媒体装置である。
　請求項４の考案は、前記端子コネクタ底部縁には、少なくとも一つの定位柱が設けられ、前記回路板の定位孔と係合することを特徴とする請求項１に記載の記憶媒体装置である。　請求項５の考案は、前記ベース上には、定位ブロックと定位柱を設けると共に、前記回路板の定位槽及び定位孔と係合することを特徴とする請求項１に記載の記憶媒体装置である。
【考案の効果】
【０００６】
　本考案により、以下のような効果が達成される。
（１）全体の強度を強化させ、完全性を向上し、端子コネクタとハウジングが接合強度の不足により生じる問題の発生を防ぐことが出来る。
（２）ベースを取り外すだけで、端子コネクタ、回路板をハウジングから取り出すことが出来、メンテナンスの時間及びコストを、大幅に減少さメンテナンスの時間及びコストを、大幅に減少させることが出来る。
（３）ベースと回路板の連接方式により、回路板を高く上げて、揺れによりハウジングと接触して発生するショートの問題を回避することが出来る。
（４）端子コネクタと回路板の連接固定方式により、端子コネクタと回路板との強度を大幅に強化することが出来る。
【考案を実施するための最良の形態】
【０００７】
　本考案の実施例を図に沿って説明する。
　図１、２は、本考案の立体図と立体分解図を示す。本考案の実施例の記憶媒体装置は、ハウジング１１、端子コネクタ１２、回路板１３、及びベース１４からなる。
　前記端子コネクタ１２、回路板１３、ベース１４は、順序通りに、金属材質で、押し抜き、或いは、凹折により形成されたハウジング１１内に設置される。端子コネクタ１２は、少なくとも一つの接触端子１２１が設けられ、端子コネクタ１２と回路板１３が連接する時、接触端子１２１は、回路板１３上の電子回路と導通し（該回路板上には、各種データ記憶素子が設置されているが、これらの素子は本考案と直接関係するものではないので、図示されず、ここに詳述しない）、情報伝送の目的を達成する。更に、該端子コネクタ１２と回路板１３の連接固定は、接触端子１２１と回路板１３が連接固定されることによる以外、端子コネクタ１２底部縁の少なくとも一つの定位柱１２２と回路板１３の定位孔１３１の係合によるものである。回路板１３の末端はベース１４と係合し、ベース１４と回路板１３の連接固定は、ベース１４上の定位ブロック１４２及び定位柱１４１と、回路板１３の定位槽１３３及び定位孔１３２の係合によるものである。更に、ベース１４は、ハウジング１１と緊密に固定される。ハウジング１１内部の素子がメンテナンスを必要とする時、ベース１４をハウジング１１から取り外すだけで分離が可能であり、故に、メンテナンスの時間とコストを大幅に減少させることが出来る。
【０００８】
　図３は、本考案の実施例の断面図である。記憶媒体装置において、端子コネクタ１２、回路板１３、ベース１４は、順序通りに、ハウジング１１内に設置され、回路板１３と端子コネクタ１２、ベース１４の連接固定は、接触端子１２１と回路板１３が溶接固定されることによる以外、主に、端子コネクタ１２の定位柱１２２と回路板１３の定位孔１３１の係合、及び、ベース１４の定位柱１４１、定位ブロック１４２と回路板１３の定位孔１３２、定位槽１３３の係合によるものである。並びに、ベース１４の設置により、端子コネクタ１２及び回路板１３が安定してハウジング１１内に固定される以外に、回路板１３の末端を高くして、回路板１３中の電子回路とハウジング１１が接近しすぎることによりショートが発生する状況を回避する。端子コネクタ１２は、ハウジング１１内部に設置され、且つ、ハウジング１１は一体成型される故に、全体の強度が増す以外に、体積も大幅に縮小する。
【０００９】
　図４、図５及び図６は、本考案の実施例の実施図、局部拡大図、及び実施例を示す図である。本実施例の記憶媒体装置は、コンピューターのＵＳＢポート２と連接し、情報伝送の目的を達成する。本考案の実施例は、ハウジング１１の外縁が、両側にステップ形状を有することが出来る以外に、直線の形状であっても構わない。ベース１４上には、定位ブロック１４２及び定位柱１４１（図２で示される）を設置しなくてもよく、ベース１４が回路板１３を強力に施圧することにより、ハウジング１１にしっかりと固定する。
【００１０】
　本考案では好ましい実施例を前述の通り開示したが、これらは決して実施例に限定するものではなく、当該技術を熟知する者なら誰でも、本考案の精神と領域を脱しない範囲内で各種の変動や潤色を加えることができる。
【図面の簡単な説明】
【００１１】
【図１】本考案の実施例の立体図である。
【図２】本考案の実施例の立体分解図である。
【図３】本考案の実施例の断面図である。
【図４】本考案の実施例の実施図である。
【図５】本考案の実施例の局部拡大図である。
【図６】本考案の実施例の斜視図である。
【符号の説明】
【００１２】
１…記憶媒体装置
１１…ハウジング
１２…端子コネクタ
１２１…接触端子
１２２…定位柱
１３…回路板
１３１…定位孔
１３２…定位孔
１３３…定位槽
１４…ベース
１４１…定位柱
１４２…定位ブロック
２…ポート
【図１】
0003100298.tif 000003
【図２】
0003100298.tif 000004
【図３】
0003100298.tif 000005
【図４】
0003100298.tif 000006
【図５】
0003100298.tif 000007
【図６】
0003100298.tif 000008